(57)【特許請求の範囲】
【請求項１】
天面壁と該天面壁の周縁から垂下する筒状のスカート壁とを有し、前記スカート壁の外周壁部には、該外周壁部の外側に突出し前記スカート壁の上下方向に延在する線条の突部を、前記スカート壁の全周方向に亘って複数形成したスカート部ナール形成領域を有する容器蓋において、
前記突部は、前記外周壁部の外面からの突出高さの大きな大突部と突出高さが前記大突部よりも低い小突部とを有し、
前記スカート壁には前記大突部を複数形成した大突部領域と前記小突部を複数形成した小突部領域とを有し、これら大突部領域と小突部領域とを前記主部の周方向へ交互に配設するとともにこれらの大突部領域及び小突部領域が前記スカート壁の上縁から前記天面壁の内側へ向かって環状に延びて形成された天面周縁ナール形成領域を有し、
該天面周縁ナール形成領域の大突部領域及び小突部領域を前記天面壁から突出させるように形成したことを特徴とする容器蓋。
【請求項２】
前記スカート壁に形成した前記大突部領域及び前記小突部領域における前記外周壁部の半径方向外側へ突出する各突部の突出高さと、前記天面壁に形成した前記大突部領域及び前記小突部領域における前記天面壁上方へ突出する各突部の突出高さが同じになるように形成したことを特徴とする請求項１に記載の容器蓋。
【請求項３】
前記スカート部ナール形成領域の前記大突部領域及び小突部領域は、前記スカート壁の下部よりも上部が漸次拡径するように形成した拡径部を、少なくとも前記スカート壁の上端側に形成したことを特徴とする請求項１又は２に記載の容器蓋。
【請求項４】
前記天面周縁ナール形成領域よりも内側に位置する天面中央領域の部位を上方に突出させて形成し、前記天面周縁ナール形成領域の大突部領域の突部の高さと少なくとも前記天面中央領域の外周側の高さを一致させるようにしたことを請求項１〜３のいずれか１項に記載の容器蓋。
【請求項５】
前記スカート部ナール形成領域及び前記天面周縁ナール形成領域の前記小突部領域内において、前記小突部の突出高さは外側から中間側に向かって漸次減少していることを特徴とする請求項１〜４のいずれか１項に記載の容器蓋。
【発明の詳細な説明】
【技術分野】
【０００１】
本発明は、飲料、洗剤、薬剤などの液体を収容する容器の口頸部に設けられ、容易に開閉することができる容器蓋に関する。
【背景技術】
【０００２】
コーヒーや清涼飲料水などの容器の容器蓋には、容器蓋を開閉する際に、有底円筒体形状の周壁部に相当するいわゆるスカート壁に、上下方向に延びる線条の突部（縦リブ、業界ではナール、ローレットなどと呼ばれるが、本明細書ではナールという）が形成されている。この突部は、容器蓋を開閉するときに、指が滑らないようにするために設けられている。
また、容器蓋は省資源化、コストを下げるためにスカート壁の高さの低いものや容器蓋の径の小さいものが使用されることがある。このような場合、握りの面積が小さくなり、初期の開栓に大きな力を必要とするものは、開け難くなる傾向にある。また、径の小さい容器蓋でも力が掛かり難く、開け難くなる。そのため、容器蓋のスカート壁に特殊なナールを形成して、開栓を容易にしようとしたものがある。
【０００３】
下記の特許文献１の技術では、スカート壁の上下方向へ延びる線条の突部について、突出高さの大きな突部（以下、大突部という）と突出高さに小さい突部（以下小突部という）の２種の突部を形成し、これらの大突部と小突部とを容器蓋のスカート壁の全周部の周方向へ向けて互い違いに並べ、容器蓋の開閉の際に、指の引っ掛かりを良くし、容器蓋の開閉性を向上させている。
【特許文献１】特開２００１−３５４２４７号公報
【発明の開示】
【発明が解決しようとする課題】
【０００４】
特許文献１のように、大突部と小突部を交互に並べた状態では、大突部と小突部の高差が小さければ、指の引っ掛かり（開閉性）が悪くなる傾向にあり、大突部と小突部の高差が大きくなれば、容器蓋の開閉の際に、指の平に大突部の先端が食い込んで指が痛くなるような手触り感（触感性）を受けたりすることがある。特に、タンパーエビデントバンドが装着されている容器蓋は、ユーザが飲料商品などの購入後に初期に開栓するような場合、タンパーエビデントバンドの橋絡部を切断するので、通常の開栓時よりも負荷を必要とし、指先に突部が食い込むようになる。
【０００５】
特に、スカート壁の高さが低い容器蓋や径の小さい容器蓋では、握りの部分であるスカート壁の大きさが小さくなるので、高さの大きな容器蓋や径の大きな容器蓋よりも強い力で開栓することになる。このような高さの小さな容器蓋や径の大きな容器蓋は、特許文献１のような容器蓋では更に開け難くなる。
更に、タンパーエビデントバンド（不正開封防止バンド）が装着されている容器蓋は、ユーザが飲料商品などの購入後に初期に開栓するような場合、タンパーエビデントバンドの橋絡部を切断するので、通常の開栓時よりも負荷を必要とし、指先に突部が食い込むようになり、手触り感が悪くなる問題がある。また、開栓時にタンパーエビデントバンドを一緒に握ったまま容器蓋を開けようとすることもある。
【０００６】
本発明は、このような事情に鑑みてなされたものであって、開閉時における開閉性が良く手触り感を向上させる容器蓋を提供することを目的とする。
【課題を解決するための手段】
【０００７】
本発明の容器蓋は、上記目的を達成するために、天面壁と該天面壁の周縁から垂下する筒状のスカート壁とを有し、前記スカート壁の外周壁部には、該外周壁部の外側に突出し前記スカート壁の上下方向に延在する線条の突部を、前記スカート壁の全周方向に亘って複数形成したスカート部ナール形成領域を有する容器蓋において、前記突部は、前記外周壁部の外面からの突出高さの大きな大突部と突出高さが前記大突部よりも低い小突部とを有し、前記スカート壁には前記大突部を複数形成した大突部領域と前記小突部を複数形成した小突部領域とを有し、これら大突部領域と小突部領域とを前記主部の周方向へ交互に配設するとともにこれらの大突部領域及び小突部領域が前記スカート壁の上縁から前記天面壁の内側へ向かって環状に延びて形成された天面周縁ナール形成領域を有し、該天面周縁ナール形成領域の大突部領域及び小突部領域を前記天面壁から突出させるように形成した。
上記容器蓋は、前記スカート壁に形成した前記大突部領域及び前記小突部領域における前記外周壁部の半径方向外側へ突出する各突部の突出高さと、前記天面壁に形成した前記大突部領域及び前記小突部領域における前記天面壁上方へ突出する各突部の突出高さが同じになるように形成することができる。
上記容器蓋の、前記スカート部ナール形成領域の前記大突部領域及び小突部領域は、前記スカート壁の下部よりも上部が漸次拡径するように形成した拡径部を、少なくとも前記スカート壁の上端側に形成することができる。
上記容器蓋は、前記天面周縁ナール形成領域よりも内側に位置する天面中央領域の部位を上方に突出させて形成し、前記天面周縁ナール形成領域の大突部領域の突部の高さと少なくとも前記天面中央領域の外周側の高さを一致させることができる。
上記容器蓋は、前記スカート部ナール形成領域及び前記天面周縁ナール形成領域の前記小突部領域内において、前記小突部の突出高さは外側から中間側に向かって漸次減少することができる。
【発明の効果】
【０００８】
本発明の容器蓋は、大突部領域及び小突部領域をスカート壁部及び天面壁の周方向に交互に形成したので、ユーザはスカート壁部のみならず、天面壁、又はスカート壁部と天面壁との境界部に指や手の平を当てることによって、大小突部で形成する波形状が指先、手の平等の引っ掛かり部となり、容易に容器蓋を開栓することができる。特に、高さの低い容器蓋や径の小さい容器蓋であっても、容易に容器蓋を開栓することができる。
上記容器蓋の前記スカート部ナール形成領域の前記大突部領域及び小突部領域は、前記スカート壁の下部よりも上部が漸次拡径するように形成した拡径部を、少なくとも前記スカート壁の上端側に形成することによって、例えば、タンパーエビデントバンドが容器蓋に形成されたような場合は、通常ユーザは拡径部を掴んで容器蓋を開栓するので、ユーザが誤って、タンパーエビデントバンドを主部と一緒になって回すことを防止する。この際、拡径部と天面周縁ナール形成領域との境界部が大突部領域と小突部領域とによる波形状であるので、握りやすくかつ指先等の引っ掛かりが良く、容器蓋を容易に開栓することができる。
上記容器蓋は、前記スカート部ナール形成領域及び前記天面周縁ナール形成領域の前記小突部領域内において、前記小突部の突出高さは外側から中間側に向かって漸次減少するようにしたので、ナール部に触れる触感がより滑らかになった。
【発明を実施するための最良の形態】
【０００９】
以下、本発明の実施形態の容器蓋について、図面を参照しながら説明する。
図１は、本発明に係る容器蓋１の斜視図であり、図２は容器蓋１の正面図、図３は容器蓋１の天面を示す平面図、図４は容器蓋１を上下方向に切断した断面図である。
この容器蓋１は、例えばポリエチレン、ポリプロピレンなどの合成樹脂などから形成されており、円板形状の天面壁５とこの天面壁５の周縁から垂下する略円筒形状のスカート壁６とを有する。容器蓋１の天面壁５は、全体が実質上ほぼ水平に延在し、スカート壁６の下部には周方向に延在する弱化ライン７が形成されている。スカート壁６には、その弱化ライン７よりも上方に主部８を設け、それよりも下方にタンパーエビデント裾部１０を設けている。
【００１０】
図４に示すように、周方向弱化ライン７は、周方向に間隔をおいて形成されたスリット１２とこれらのスリット１２間に存在する複数の橋絡部１４とから構成されている。橋絡部１４は、主部８と裾部１０を上下方向に破断可能に連結し、容器蓋１の開栓時の破断を容易にしている。
スカート壁６の主部８は、肉厚の等しい筒状の外周壁部１６と外周壁部１６から半径方向外側に突出する複数の突部が形成されている。突部はスカート壁６の上下方向に直線状に延びる線条（リブ状）形状であって、主部８の全周に亘って形成される。
【００１１】
図２及び図３の容器蓋１に示すように、突部は半径方向外側へ突出高さの大きな大突部１８ａとこの大突部１８ａよりも突出高さの低い小突部１９ａ〜１９ｃが形成されている。大突部１８ａの先端は、横断面形状がほぼ半円形状であり、この同一形状の大突部１８ａが同ピッチで、本実施形態では５個が連続して配設されている。なお、この大突部が５個連続して並べられた領域を、以下大突部領域１８という。この大突部領域１８は、同一形状に構成されている大突部領域１８が複数設けられ、主部８の周方向に等間隔に配設されている。大突部領域１８の周方向角度は１０度〜４５度の範囲が好ましい。
【００１２】
主部８の各大突部領域１８の間には、小突部領域１９が形成されている。小突部領域１９は、上述した大突部１８ａよりも高さの小さい小突部１９ａ〜１９ｃが外周壁部１６から半径方向外側へ突出して形成され、小突部１９ａ〜１９ｃは小突部領域１９内にて、最外側に位置する２個の外側小突部１９ａの高さが、大突部１８ａの突出高さよりも低く、外側小突部１９ａの内側に位置する２個の内側小突部１９ｂの高さが、外側小突部１９ａの突出高さよりも低く、内側小突部１９ｂのさらに内方側に位置し、小突部領域１９の中央位置に１つある中央小突部１９ｃがさらに内側小突部１９ｂの突出高さよりも低く形成されている。これらの外側小突部１９ａ、内側小突部１９ｂ及び中央小突部１９ｃの周方向ピッチは、大突部１８ａの周方向ピッチに等しく形成されている。よって、大突部領域１８の周方向角度と小突部領域１９の周方向角度は、本実施形態では一致させている。なお、大突部領域１８及び小突部領域１９の周方向ピッチは、容器への巻締適性を考慮すると一致させることが好ましい。
【００１３】
上述したように、小突部領域１９の突部は外側から中間位置に向かって、小突部１９ａ、１９ｂ、１９ｃの順に配置され、小突部１９ａ、１９ｂ、１９ｃの順に漸次、外周壁部１６外面からの突出高さが低くなるように形成されている。また、外周壁部１６の周方向における大突部領域１８の大突部１８ａの幅は等しく、小突部領域１９では、小突部領域１９の外側から中間位置に向かって、漸次幅が狭くなっている。すなわち、小突部１９ａ＞１９ｂ＞１９ｃの関係にある。このように、主部８は大突部領域１８の部分が、大突部１８ａの存在によって厚肉に形成され、小突部領域１９の部分が、大突部１８ａよりも薄肉に形成されている。
なお、主部８に形成したスカート壁６の全周方向に亘って複数形成した突部１８ａ、１９ａ〜１９ｃを、以下スカート部ナール形成領域３１とする。このようなスカート部ナール形成領域３１は、全体として、外周壁部１６の半径方向へほぼ波打った形状に形成され、全体としては、大突部領域１８が波の山側となり、小突部領域１９が波の谷側となる。
【００１４】
天面壁５には、そのスカート部ナール形成領域３１から天面壁５の中心側へ向かって、環状の天面周縁ナール形成領域３２が形成されている。天面周縁ナール形成領域３２は、大突部領域３８と小突部領域３９とを設け、大突部領域３８では、スカート部ナール形成領域３１の大突部１８ａから連続して形成された大突部３８ａが天面壁５の中心側へ延びている。そして、天面周縁ナール形成領域３２では、大突部３８ａが上方へ突出する高さと、大突部１８ａの外周壁部１６における半径方向外側へ突出する高さと一致させている。また、小突部領域３９では、領域３１の各対応する小突部１９ａ、１９ｂ、１９ｃから連続して形成された小突部３９ａ、３９ｂ、３９ｃが天面壁５の中心側へ向かって、天面壁５の天面中央領域３３の外周部まで延びている。そして、天面周縁ナール形成領域３２では、各小突部３９ａ、３９ｂ、３９ｃの天面壁５の上面から突出する高さと、これらに連続する小突部１９ａ、１９ｂ、１９ｃの外周壁部１６における半径方向外側の高さと一致させている。ただし、それらの高さを一致させる必要はないが、一致させた方が均整がとれた形状になる。
【００１５】
こうして、天面周縁ナール形成領域３２は、全体として、上下にかつ周方向へほぼ波打った形状に形成され、大突部領域３８が波の山側となり、小突部領域３９が波の谷側となる。なお、天面周縁ナール形成領域３２では、各突部３８ａ、３９ａ〜３９ｃを天面壁５の中心部に向けているので、それらの周方向の幅は、中心側に向かうほど細く形成されている。
天面周縁ナール形成領域３２の内部に位置する天面中央領域３３の高さは、本実施形態では、図４に示すように、大突部３８ａが天面中央領域３３の高さと同じになるように形成し、小突部３９ａ〜３９ｃが天面中央領域３３よりも、順次低くなるように形成している。大突部１８ａ及び小突部１９ａ〜１９ｃについては、天面周縁ナール形成領域３２の基準面の高さを天面中央領域３３の面と同じ高さに形成し、天面中央領域３３から大突部１８ａ及び小突部１９ａ〜１９ｃを突出するように形成してもよい。
【００１６】
図４に示すように、天面壁５の内面側には、天面壁５から下側に突出する環状シール２３が形成されている。環状シール２３は、外周面が図示しない容器の口頸部の内周面に当接することによってシール性を保持する。そして、容器蓋１の内周面には、容器の雄ネジと螺着する雌ネジ２１が形成されている。また、タンパーエビデント裾部１０の内周面には、容器蓋１の半径方向内側に突出する内方向突起１１を複数個形成している。この内方向突起１１は、容器に形成された係止部に係合して開栓後のタンパーエビデント裾部１０の抜け止めの役割を果たす。
【００１７】
このような容器蓋１は、ユーザが開栓するときには、片手で図示しない容器を握りしめて固定し、他方の手の指先によって容器蓋１を開栓する。主部８を回転させると、ネジ２１の作用により、容器蓋１の全体が上方へ移動するが、タンパーエビデント裾部１０の内周面に設けられているラチェット片１５が図示しない容器のラチェット爪に係止されているので、タンパーエビデント裾部１０の回転が阻止され、主部８の側のみが上方へ移動することとなり、弱化ライン７の橋絡部１４が切断され、弱化ライン７を境界として、主部８の側が容器の口頸部から分離される。
この際、子供や老人のように力の弱い人であっても、スカート部ナール形成領域３１と天面周縁ナール形成領域３２との境に指の平部を引っ掛けたり（又は押し付けたり）、手の平部を天面周縁ナール形成領域３２に押し付けたりして、容易に容器蓋を開栓することができる。また、容器蓋１の高さが低くて、容器蓋１の主部８の握りが狭くスカート部ナール形成領域３１に力を十分にかけられないような場合であっても、上述した形状により容器蓋１に力を付加することができる。
【００１８】
タンパーエビデント裾部１０を分離するときには、開栓後における通常の開栓時よりも負荷が大きいが、本実施形態では、容器蓋１の主部８の周囲には、大突部領域１８及び小突部領域１９が交互に形成されている。ユーザは主部８に指を当てて、指先が滑ることなく大きな負荷をかけることができ、大小突部領域１８，１９に手を触れることによって、滑らかな感触性を得ることができる。このように、本実施形態の容器蓋１は、大突部領域１８の大突部１８ａの先端部から小突部１９ａ〜１９ｃの先端部の形状が緩やかな波形状の曲線を描いているので、指先を大突部領域１８及び小突部領域１９に押し付けても、指皮膚が食い込んで痛むような感触を防止できる。これについては、橋絡部１４の切断後の容器蓋１の開閉についても、良好な容器蓋１の開栓性、触感性を得ることができる。
なお、本実施形態では、大突部１８ａの高さが通常の大きさであり、小突部１９ａ〜１９ｃの突出部は大突部１８ａよりも小さいので、その小突部１９ａ〜１９ｃの大きさが小さい分だけ、主部（スカート壁６）８を肉薄にして、容器蓋１の軽量化及び材料費の節約を図ることができる。
【００１９】
次に、本発明の第２の実施形態の容器蓋について説明する。
図５は、容器蓋１の斜視図、図６はその正面図、図７はその平面図である。なお、上記第１の実施形態と同一の符合を付して説明する。
上記第１の実施形態では、容器蓋１のスカート壁６の大突部１８ａ及び小突部１９ａ、１９ｂ、１９ｃの横断面形状を下部から上部まで実質的に同一断面としたが、本実施形態では、それらの突部の横断面形状の下部側の断面と上部側の横断面とが、図５及び図６に示すように、異なる形状に形成した。以下、これについて説明する。
【００２０】
スカート壁６の主部８は、肉厚の等しい筒状の外周壁部１６と外周壁部１６から半径方向外側に突出する複数の突部が形成されている。突部はスカート壁６の上下方向に延びるリブ形状であって、主部８の全周に亘って形成される。
突部は高さの大きな大突部１８ａを形成した大突部領域１８とこの大突部１８ａよりも高さの低い小突部１９ａ〜１９ｃを形成した小突部領域１９とが形成されている。これらの大突部１８ａ及び小突部１９ａ〜１９ｃは、主部８の下側の同径部Ｌ１では、直線状であり、同径部Ｌ１よりも上方では、上方へ向けてかつ外周壁部１６の半径方向外側へ向けて漸次拡径されたフィン状の拡径部Ｌ２を形成している。そして、天面壁５の位置手前でやや湾曲し、天面周縁ナール形成領域３２の大突部３８ａと小突部３９ａ〜３９ｃに連結する。尚、大突部１８ａ及び小突部１９ａ〜１９ｃの意味するところは、スカート壁６の同一高さにおける外周壁部１６からの半径方向外側に突出する高さの差により区別される。
【００２１】
大突部領域１８では、同径部Ｌ１及び拡径部Ｌ２の両者ともに、大きさの等しい大突部１８ａが同ピッチで、本実施形態では５個が連続して配設されている。主部８の各大突部領域１８の間には、小突部領域１９が形成されている。小突部領域１９は、同径部Ｌ１及び拡径部Ｌ２の両者ともに、大突部１８ａよりも突出高さの小さい小突部１９ａ〜１９ｃが、外周壁部１６から半径方向外側へ突出して形成されている。そして、上記第１の実施形態と同様に、外側小突部１９ａの内側に位置する２個の内側小突部１９ｂの高さが、外側小突部１９ａよりも低く、内側小突部１９ｂの内方側に位置し、小突部領域１９の中央位置に１つある中央小突部１９ｃがさらに内側小突部１９ｂの高さよりも低く形成されている。また、大突部１９ａと各小突部１９ａ〜１９ｃの突出高さの差は、同径部Ｌ１から拡径部Ｌ２にわたって、同じになるように形成している。
【００２２】
したがって、スカート部ナール形成領域３１は、同径部Ｌ１及び拡径部Ｌ２の部分が全体として、外周壁部１６の半径方向の内外にほぼ波打った形状に形成され、大突部領域１８が波の山側となり、小突部領域１９が波の谷側となる。
また、スカート壁６の周方向における大突部領域１８の大突部１８ａの幅は同径部Ｌ１及び拡径部Ｌ２とも等しく、小突部領域１９では、小突部領域１９の外側から中間位置に向かって、１９ａ＞１９ｂ＞１９ｃとなるように同径部Ｌ１及び拡径部Ｌ２ともに漸次幅が狭くなっている。
【００２３】
天面壁５には、スカート部ナール形成領域３１の上端部から天面壁５の中心側へ向かって、環状の天面周縁ナール形成領域３２が形成されている。天面周縁ナール形成領域３２は、拡径部Ｌ２が外周壁部１６の径方向外側に延長されたことによって、大突部領域３８と小突部領域３９とが共に、天面壁５の外側に延長されて、天面周縁ナール形成領域３２の面積は、上記第１の実施形態よりも大きく形成されている。
本実施形態では、大突部領域３８の大突部３８ａの天面壁５の上面から突出高さと、同径部Ｌ１における大突部１８ａの高さと同一となるように形成している。また、小突部領域３９の天面壁５がある部分では、各小突部３９ａ、３９ｂ、３９ｃの天面壁５の上面から突出する高さと、これらに対応する同径部Ｌ１の小突部１９ａ、１９ｂ、１９ｃの外周壁部１６における高さと一致させている。ただし、一致させる必要はない。
【００２４】
このように、環状の天面周縁ナール形成領域３２は、全体として周方向に向かって、上下にほぼ波打った形状に形成され、大突部領域１８が波の山側となり、小突部領域１９が波の谷側となる。
なお、領域３２では、各突部３８ａ、３９ａ〜３９ｃを天面壁５の中心部に向けているので、それらの周方向の幅は、中心側に向かうほど細く形成されている。
その他の容器蓋１の天面壁５及びスカート壁６の形状は、上記第１の実施形態と同じであるので、その説明を省略する。
【００２５】
本実施形態における容器蓋１は、スカート壁６の高さが低くても、拡径部Ｌ２を形成したので、ユーザが開栓するときに、拡径部Ｌ２を握ることによって、容易に容器を開栓することができる。この際、拡径部Ｌ２に大突部領域１８及び小突部領域１９における波形状が形成されているので、指先の引っ掛かり感がよく、併せて手触り感もよいので容易に開けることができる。さらに、天面壁５の天面周縁ナール形成領域３２にも大突部領域３８及び小突部領域の波形状を形成しているので、指先や手の平に波形状が引っ掛かりやすく容易に容器蓋１を開栓できる。特に、タンパーエビデントバンドを形成しているもので、スカート壁６の短いものは、タンパーエビデントバンドを掴んで容器蓋１を外すようなときに、容器蓋１が外れないようなことがあり、本実施形態のように、拡径部Ｌ２を形成したものは、そのタンパーエビデントバンドが掴みにくく、容器蓋１を容易に外すことができる効果がある。
【００２６】
以上、本発明の実施形態について説明したが、本発明の技術的思想に基づいて、勿論、本発明は種々の変形又は変更が可能である。
例えば、上記実施形態では、容器蓋１を樹脂製容器としたが、容器蓋については、金属製キャップであってもよく、主部に本実施形態と同様な大突部領域及び小突部領域を形成してもよい。
また、上記実施形態では、小突部領域１９，３９を中央側に向けて漸次、小突部１９ａ〜１９ｃ及び３９ａ〜３９ｃの大きさを小さくして、容器蓋１の半径方向内側へ突出高さを小さくしたが、小突部は突出高さを同じにして、それらの先端部を同一円周上に配置するようにもできる。
【図面の簡単な説明】
【００２７】
【図１】本発明の第１の実施形態の容器蓋の斜視図である。
【図２】図１の容器蓋の正面図である。
【図３】図１の容器蓋の平面図である。
【図４】図３の容器蓋を垂直方向へ切断した断面図である。
【図５】本発明の第２の実施形態の容器蓋の斜視図である。
【図６】図５の容器蓋の正面図である。
【図７】図５の容器蓋の平面図である。
【符号の説明】
【００２８】
１  容器蓋
５  天面壁
６  スカート壁
７  弱化ライン
８  主部
１０  裾部
１６  外周壁部
１７  突部
１８，３８  大突部領域
１８ａ，３８ａ  大突部
１９，３９  小突部領域
１９ａ〜１９ｃ，３９ａ〜３９ｃ  小突部
【図１】
0004949161.tif 000002
【図２】
0004949161.tif 000003
【図３】
0004949161.tif 000004
【図４】
0004949161.tif 000005
【図５】
0004949161.tif 000006
【図６】
0004949161.tif 000007
【図７】
0004949161.tif 000008